(57)【要約】【課題】  使用しない時には小さく縮めて携行することができる、虫かごを提供する。【解決手段】  両端に配置した端面部材間を伸縮自在のスパイラルバネ１で連結し、スパイラルバネ１の両端を端面部材で塞ぐとともにスパイラルバネ１に沿って柔軟な材質のネット６を張設して虫かごを形成する。端面部材の一部には、蓋４のように開閉自在の投入口を形成し、かつ、スパイラルバネ１を押し縮めた状態で端面部材どうしを係止することができる係止手段を設ける。【選択図】  図１
0003102157.tif 000002
【実用新案登録請求の範囲】
【請求項１】
両端に配置した端面部材間を伸縮自在のスパイラルバネで連結し、該スパイラルバネの両端を端面部材で塞ぐとともにスパイラルバネに沿って柔軟な材質のネットを張設し、端面部材の一部に開閉自在の投入口を形成し、かつ、スパイラルバネを押し縮めた状態で端面部材どうしを係止する係止手段を設けたことを特徴とする虫かご。
【請求項２】
端面部材は、環状部とその外表面を覆うカバー部材で形成したことを特徴とする請求項１記載の虫かご。
【請求項３】
一つの連続するスパイラルバネの両端部を周回させ、周回させたスパイラルバネに、スパイラルバネを構成する線材を二本挿入することができるチューブ材を挿入しておき、スパイラルバネの先端を前記チューブ材に挿入することによって環状部を形成することを特徴とする請求項２記載の虫かご。
【請求項４】
両端の端面部材の複数位置であって対向する位置にループ状の紐を逢着し、対向する紐のいずれか一方に他方のループ状の紐を長手方向姿勢で通過させ、横位置でループの通過が阻止される形状である係止具を装着したことを特徴とする請求項１ないし４のいずれかに記載の虫かご。
【考案の詳細な説明】
【技術分野】
【０００１】
この考案は、携帯に便利で、簡易な虫かごに関する考案である。
【背景技術】
【０００２】
従来の虫かごは、一定形状を保持するフレームの外表面を金網や竹串などで小さな目に形成して、通気性を保持しつつ捕獲した虫が逃げ出さないようにしている。また、簡易な虫かごとして、網目部分を含めて合成樹脂材で一体成型したものも知られている。
【考案の開示】
【考案が解決しようとする課題】
【０００３】
従来の虫かごは、常に一定の大きさを保持するものであるため、携行に不便であるとともに、携行中に破損する虞もあった。また、見栄えのよいものは高価であり、合成樹脂材による一体成型品のように安価なものは、見栄えが悪く破損し易い欠点があった。上記、従来技術の欠点に鑑み本考案は、使用しない時には小さく縮めて携行することができるとともに、捕獲した虫を入れる場合はできるだけ大きく広げて使用できる虫かごを安価に提供することを目的とするものである。
【課題を解決するための手段】
【０００４】
上記目的を達成するため、請求項１記載の本考案は、虫かご全体を伸縮自在とする。すなわち、両端を端面部材で塞ぎ、両端の端面部材間を伸縮自在のスパイラルバネで連結することによって全体の外形を形成する。スパイラルバネの両端部は端面部材で塞ぎ、スパイラルバネに沿って柔軟な材質のネットを張設する。これにより、スパイラルバネの弾性によって円筒状を保つことができる。この虫かごは、スパイラルバネの弾性に抗して全体を小さく縮めることができ、縮めた状態で端面部材どうしを係止手段によって係止することにより、小さく縮めた状態で携行する。係止手段による係止を解除すると、スパイラルバネの弾性によって再び伸張し、大きな虫かご形状を再現する。
【０００５】
請求項２記載の考案は、端面部材を環状部とその外表面を覆うカバー部材とで構成するものである。請求項３に記載の考案は、一つの連続するスパイラルバネの両端部を周回させ、周回させたスパイラルバネに、スパイラルバネを構成する線材を二本挿入することができるチューブ材を挿入しておき、スパイラルバネの先端を前記チューブ材に挿入することによって環状部を形成するものである。
【０００６】
請求項４記載の考案は、端面部材の係止手段として、両端の端面部材の複数位置であって対向する位置にループ状の紐を逢着し、対向する紐のいずれか一方に他方のループ状の紐を長手方向姿勢で通過させ、横方向位置でループの通過が阻止される形状である係止具を装着するものである。
【考案の効果】
【０００７】
請求項１記載の本考案虫かごによれば、スパイラルバネ１の弾性に抗して全体を短く縮め、端面部材どうしを係止具８で係止させることによって虫かご全体を縮めた状態に維持し、嵩張らない小さな状態で携行することができる。係止具８による係止を解除すると、スパイラルバネ１の弾性によって全体が伸張し、大きな虫かごの形状を再現させることができる。
【０００８】
請求項２記載の考案によれば、環状部材とその外周を覆うカバー部材によって軽量で嵩張らない端面部材を容易に実現することができる。また、請求項３記載の考案によれば、請求項２記載の考案を実施する上において、一つのスパイラルバネ１によって両端の環状部２を形成することができる。さらに、請求項３記載の考案によれば、端面部材どうしを係止させる簡単な構造によって虫かごの両端に配置する環状部を形成することができる。請求項４記載の考案虫かごを縮めた状態に維持する係止手段を簡単な構造によって実施することができる。
【考案を実施するための最良の形態】
【０００９】
以下、本考案に係る虫かごの実施形態を添付の図面に基づいて説明する。
図１は虫かご全体の斜視図、図２は端面の環状部材をスパイラルバネによって形成する実施形態を示す、スパイラルバネの先端部分のみの平面図、図３は一方の端面部分の部分拡大図、図４は他方の端面部分の部分拡大図である。
【００１０】
図示実施形態の虫かごは、一つのスパイラルバネ１とスパイラルバネ以外の外装部分とで構成する。伸張させたスパイラルバネ１の全長は虫かごとして使用する場合の全長を、螺旋の直径は虫かごの胴径となるものであり、目的とする虫かごの大きさに適応するスパイラルバネを選定する。スパイラルバネの線径は、伸張させる力に関係し、大きな力を必要とするものではないため、例えば線径１ミリメートル程度のものでよい。スパイラルバネ１の両端部はいずれも、図２に示すように一つのチューブ材３によって環状部２を形成している。
【００１１】
すなわち、スパイラルバネ１を構成する線材を二本挿入することができる大きさ、図示実施形態では二つ孔のチューブ材３を利用し、スパイラルバネ１の先端1aからチューブ材３の一方の孔に挿入し、ほぼ一ピッチ(一周)分移動させておく。この状態でスパイラルバネ１の先端1aをチューブ材３のもう一方の孔に挿入して固定する (図２の部分拡大図参照) 。これにより、スパイラルバネ１の両端に環状部が形成されることになり、両端の環状部２，２間がスパイラルバネ１によって連結されることになる。
【００１２】
両端の環状部２,２を形成するにあたっては、別に形成したリングを配置し、このリングにスパイラルバネ１の両端部を接合するものであってもよい。両端の環状部２，２のうち、一方の環状部には、図３に示すようにカバー部材として端面を塞ぎ、しかも虫を出し入れすることができるように、開閉自在の蓋４を形成している。また、他方の環状部２には、図４に示すように環状部２をカバー部材である端面部材５を配置することによって端面を塞ぐとともに、両端の環状部間にスパイラルバネ１に沿って(固定して)柔軟なネット６を張設している。これにより、拘束した虫が逃げ出さず、しかも通気性を備える虫かごを完成させる。
【００１３】
上記構成とすることによって、スプリングバネ１の弾性によって、常時伸張状態を維持し、スプリングバネ１の弾性に抗する外力によって短く縮めることができる虫かごが形成される。虫かごの両端部には、相互に連結することによって短く縮めた状態を維持することができる係止具を設ける。係止具としては種々の手段を利用することができるが、図示実施形態では、蓋４や端面部材５で構成される端面部材に、それぞれループ状の紐７，７を縫着し、一方の紐に細長形状の係止具８を装着している。係止具８の形状は、長手方向姿勢で対向位置に配置した紐７のループを通過させ、横方向位置でループの通過が阻止されるものであれば、どのような形状であってもよい。これにより、係止具８を対向位置に配置したループ状の紐７を通過させることによって、虫かごを縮めた状態に維持することができる。なお、ループ状の紐７,７は、それぞれの端面部材の複数位置、例えば対向の二箇所に配置するとともに、他方の端面部材には前記一方の端面部材の配置と対応する複数位置に配置する。
【００１４】
次に、具体的な構造の一例を、図３及び図４に基づいて説明する。虫かごの主体部を構成するネット６は、少なくとも拘束した虫が逃げ出さない大きさの網目である、柔軟な編み地もしくは織り地を利用し、筒状に縫製したものを利用する。上記、筒状に縫製したネット６をスパイラルバネ１の内側に配置するとともに、スパイラルバネ１の外周に沿ってテープ９を配置し、スパイラルバネ１を挟んだ状態でテープ９の両側縁をネット６に逢着する。これによりスパイラルバネ１の全長にわたってネット６を張設することができる。
【００１５】
ネット６の一方の端部は、開閉自在の蓋４で閉塞する。すなわち、図３に示すように、ネット６の端部において、スパイラルバネ１の環状部２の上にテープ11を配置するとともに、テープ11とネットの間に一方のファスナーテープ10aを挟み込んで縫製する。ランナー10cによって接合・離反される他方のファスナーテープ10bは、蓋４に縫着してある。具体的には、連結テープ12の一側縁に沿って他方のファスナーテープ10bを縫製するとともに、ファスナーテープ10bの他側縁に蓋主体4aを逢着している。以上の構成とすることによって、ファスナーによって開閉することができる蓋４が形成される。蓋主体4aは、ある程度厚みのある透明な構成樹脂製シート材を利用すると、内部を透視することができるとともに、保形成に優れたものとすることができる。
【００１６】
ネット６の他方の端部は、図４に示すように端面部材５によって完全に閉塞する。すなわち、環状部２を含むスパイラルバネ１を、連結テープ13とネット６とで挟むようにして縫製する。このとき、端面部材５の周縁部分を一緒に縫製することによって開放端を端面部材５で閉塞する。端面部材５には、不透明な布や透明な合成樹脂製シート材などを用いることができる。図４に示す実施形態では、連結テープ13と端面部材５の重なり部分を縁テープ15で覆うことによって、見栄えの良いものとしている。
【００１７】
一方の端面部材５や、他方の端面部材である蓋４は、柔軟なビニールシートや布を用いることができるのは勿論、剛性のある部材、例えば金属板などで構成することも可能である。この場合においても、ネット６は柔軟な材質であることが必要である。また、図示実施形態においては、一方の端面部材として蓋４を配置し、この蓋全体が開閉して虫の出し入れを行うことができるようにしているが、スパイラルバネ１の両端を端面部材によって閉塞し、端面部材の一部に開閉蓋を形成することもできる。この方式は、主として端面部材を金属板や合成樹脂板などの板材で構成する場合に有効である。
【００１８】
その他、虫かごには、提げ紐14を装着しておくと携行に便利である。この場合、提げ紐14の先端を、ループ状の紐７に係止させるようにするのが好ましい。このようにすると、特別な係止部を形成する必要がなく、それだけ安価に製造することができる。虫かごの両端の端面部材にある紐７,７に、提げ紐14の両端をそれぞれ係止すると、虫かごを横位置に携行することができ、同じ端面部材の紐７,７に係止することによって虫かごを縦位置に携行することができる。
【図面の簡単な説明】
【００１９】
【図１】図１は、本考案を実施する虫かご全体の斜視図、
【図２】図２は、スパイラルバネの一端部であって、一部を拡大断面で示す平面図、
【図３】図３は、一方の端面部分の部分拡大図、
【図４】図４は、他方の端面部分の部分拡大図である。
【符号の説明】
【００２０】
１…スパイラルバネ、  ２…環状部、  ３…チューブ材、  ４…蓋、  4a…蓋主体、  ５…端面部材、  ６…ネット、  ７…紐、  ８…係止具、  ９…テープ、  10…ファスナー、  10a，10b…ファスナーテープ、  10c…ランナー  11…テープ、  12，13…連結テープ。
【図１】
0003102157.tif 000003
【図２】
0003102157.tif 000004
【図３】
0003102157.tif 000005
【図４】
0003102157.tif 000006
【手続補正書】
【提出日】平成16年2月17日(2004.2.17)
【手続補正１】
【補正対象書類名】実用新案登録請求の範囲
【補正対象項目名】請求項４
【補正方法】変更
【補正の内容】
【請求項４】
両端の端面部材の複数位置であって対向する位置にループ状の紐を逢着し、対向する紐のいずれか一方に他方のループ状の紐を長手方向姿勢で通過させ、横位置でループの通過が阻止される形状である係止具を装着したことを特徴とする請求項１ないし３のいずれかに記載の虫かご。